(57)【要約】本発明は、移動局（ＭＳ）と基地局（ＢＳ）の間で並行に存在するパケット指向チャネルと連続チャネルを介したデータ伝送方法に関しており、この場合連続チャネルを介した伝送が中断され、それによって少なくとも１つの転送ギャップが形成される。
2005518148.tif 000002
【特許請求の範囲】
【請求項１】
移動局（ＭＳ）と基地局（ＢＳ）の間でデータがパケットで伝送されるデータ伝送方法において、
データの伝送若しくは受領応答が転送ギャップまたは受領ギャップの間は実行されず、前記ギャップは、移動局に対して他の周波数への同調のために設けられていることを特徴とするデータ転送方法。
【請求項２】
データが、移動局（ＭＳ）と基地局（ＢＳ）の間のパケット指向チャネルと連続チャネルを介してパケットにて並行に伝送され、この場合連続チャネルを介した転送が中断され、それによって少なくとも１つの転送ギャップが形成される、請求項１記載のデータ転送方法。
【請求項３】
前記転送ギャップは移動局における受領応答の中断によって形成される、請求項１または２記載のデータ転送方法。
【請求項４】
前記転送ギャップは、移動局の伝送の中断によって形成される、請求項１から３いずれか１項記載のデータ転送方法。
【請求項５】
パケット指向チャネルを介してパケットを送信するステップと、
最初の処理時間経過後に受領応答を送信することなしで、受信したデータパケットから得られた情報を記憶するステップとを含んでいる、請求項１から４いずれか１項記載のデータ転送方法。
【請求項６】
受領応答が遅延時間の経過後に送信される、請求項５記載のデータ転送方法。
【請求項７】
第２のデータパケットを受信するステップと、
受信した第２のデータパケットから得られた情報を記憶するステップと、
各データパケットの情報の少なくとも一部の使用によって復号化を実行するステップとが含まれている、請求項５記載のデータ転送方法。
【請求項８】
前記パケット指向チャネルは、高速物理ダウンリンク共有チャネルHS-PDSCHである、請求項１から７いずれか１項記載のデータ転送方法。
【請求項９】
データ転送が中断される所定の時間は、基地局若しくは移動局によって定められる、請求項１から８いずれか１項記載のデータ転送方法。
【請求項１０】
情報をパケットで転送するステップと、
データ転送を転送ギャップ外のみで実行するステップとが含まれている請求項１から９いずれか１項記載のデータ転送方法。
【請求項１１】
少なくともパケットが、パケット指向チャネルを介して基地局から移動局へ許容された時間間隔で送信され、この場合全時間間隔は、パケット伝送が転送ギャップ又は受領ギャップとオーバーラップできないように定められている、請求項２から４若しくは８から１０いずれか１項記載のデータ転送方法。
【請求項１２】
少なくともパケットが、受領応答の送信が転送ギャップとオーバーラップしているかどうかに関わりなく、移動局によって受信される、請求項２から４若しくは８から１０いずれか１項記載のデータ転送方法。
【請求項１３】
請求項１から１２いずれか１項記載のデータ転送方法の実行に適するように構成されていることを特徴とする基地局。
【請求項１４】
請求項１から１２いずれか１項記載のデータ転送方法の実行に適するように構成されていることを特徴とする移動局。
【請求項１５】
請求項１３による少なくとも１つの基地局と請求項１４による移動局が含まれていることを特徴とする通信ネットワーク。
【発明の詳細な説明】
【技術分野】
【０００１】
本発明は、例えばＨＳＤＰＡ（High Speed Downlink Packet Access）を介したＵＭＴＳ（Universal Mobile Telecommunications System）における圧縮モードとデータ転送の間の相互依存性、特に圧縮モードとパケット指向データ転送の間の相互依存性を考慮に入れた、データ転送又はデータ伝送方法に関する（引用文献３“R1-02-0199 TR25.858 ' High Speed Downlink Packet Access ' Espoo, Finland, Jan. 2002”参照）。圧縮モードは、相互周波数測定、例えばハンドオーバー手順やＯＴＤ測定が行われた場合に適用される。
【背景技術】
【０００２】
通信システムにおける端末装置またはユーザー用機器は、例えば他の基地局の監視又はＯＴＤ（Observed Time Difference）測定を実行するために、目下の送/受信周波数からの周波数差に基づいて測定を行っている。この時間（転送ギャップ）の間はデータ転送が何も行われない。平均データ転送レートを維持するためには、転送ギャップ外のデータレートが所定の時間フレーム内で増大される。この時間フレーム内の操作モードは、圧縮モードとして関連している。この圧縮モードは、データ転送に明らかな影響を及ぼす。すなわち相互依存性が生じる。
【０００３】
基地局は、セルラ方式（小ゾーン方式）通信網の中央ユニットであり、これは当該通信ネットワーク内のセル内の少なくとも１つの端末ないしユーザー装置に供されている。それには少なくとも送/受信ユニットが含まれている。ＵＭＴＳシステムではしばしばノードＢとも称される。
【０００４】
この状況は、さらにＵＭＴＳシステムを例にさらに以下で説明する。
【０００５】
通信装置若しくはユーザー端末装置（ＵＥ）と基地局（ＢＳないしＮｏｄｅＢ）との間で通信が確立されると、ユーザー端末装置は最適な接続を樹立できる基地局を探し出すために他の基地局を監視する。少なくともユーザー端末がただ１つのシンセサイザーを有するかおよび/またはＲＦ（Radio Frequency）部分を有しているならば、他の基地局の監視に対しては、ユーザー端末装置は他の周波数を監視し、データが転送ないし受信されることはない。
【０００６】
しかしながらユーザー端末装置のユーザーは、目下の送/受信周波数から明らかに異なる周波数を監視するいわゆる“相互周波数測定”のための転送ギャップ生成のために、自身のデータ転送が一時中断してしまったことには気付かない。ＵＭＴＳ標準の枠組みの中では、この事項は引用文献１“R1-02-0492, TR 25.212v4.3, section4.4 "compressed mode"with Fig. 11”において論じられている。転送ギャップの存在する中で一定の平均データレートを維持するためには、ネットデータ転送レートが転送ギャップの前後で増大されなければならない。目下搬送されているデータ情報は“ネットデータ”によって表わされる。伝送が理想的に行われなかった場合であっても、すなわち何らかのレベル低下が生じたとしても、受信機においてデータの正確な復号化を保証するために、ネットデータには所定のオーバーヘッドが加算される。全データは大量なデータに及び、データのオーバーヘッドは、例えばチャネルコーディングから発生するパリティビットからなり得る。データの転送は、データの送信かデータの受信のどちらか若しくはその両方からなり得る。
【０００７】
転送ギャップＴＧ、例えば伝送ギャップによって一時中断される転送状況は、図１に示されており、これは前記引用文献１から引用され得る。送信電力は、時間に依存して表わされる。この時間は、時間間隔としてのフレームＦにセグメント化され、各フレーム自身は、複数のタイムスロットを含んでいる。ユーザー端末装置が他の基地局を捕捉し故にデータを連続的に転送できない間のフレームは、圧縮フレームと称し、圧縮フレームがオフである時の通常フレームと同じような平均レートを達成するために、転送レートは当該フレーム内のいくつかのタイムスロットで増大されなければならない。
【０００８】
データが圧縮されて転送されるフレームは、圧縮フレームと称し、それぞれの操作モードも圧縮モードと称する。
【０００９】
圧縮フレームにおいては、ファーストスロットＮｆｉｒｓｔ〜ラストスロットＮｌａｓｔ
からなるＴＧＬ（transmission gap length）期間はデータの転送には用いられない。図１にも示されているように、瞬時の送信電力Ｐ（これは時間に対して表わされる）は、その長さがＴＧＬの伝送ギャップＴＧ前後の圧縮フレームＦc内で増加される。これは処理利得の低減による影響を受けない品質（例えばビットエラーレート（ＢＥＲ）フレームエラーレート（ＦＥＲ））を維持するためのものである。Ｆは通常のフレームの長さ表わしている。処理利得の低減とは、データが例えば“通常伝送”中のものよりも安全性に欠けて符号化されることを意味する。電力増加の量は、目下使用されている伝送時間低減方法にかかわっている（引用文献１、従節４.４.３参照）。
【００１０】
図２には、通常の伝送シーケンスが示されており、ここでは復調、符号化などの用語が説明のために使用されている。
【００１１】
信号は、ソース若しくはトラスミッタＴＸで生成される。それに続いてアナログ/デジタルコンバータＡ／Ｄで信号がディジタル化され、それによって情報担体の最小単位は１ビットとなる。このディジタル化には、信号のサンプリングと量子化のステップが含まれている。種々の符号化ステップが符号化器Ｃで実施される。ソースコーディングは、信号中の冗長性を除くために、若しくはディジタル化されたデータが直接使用され得るように（つまりＡ／Ｄ変換やソースコーディングなどが必要なくなるように）実行される。チャネルコーディングは、ビットの保護のために適用される。これらのコーディングの後では信号が展開される。ここでは最小の情報担体ユニットはチップである。展開のために伝送に対するチップレートは典型的にはビットレートよりも著しく高くされる。
【００１２】
デジタル変調器ＤＭではデータがシンボルに“書き換え”られる。これは種々の変調やコーディングスキーマ毎に異なっている。変調の度合いが高ければ高いほど、シンボルに書き換えられるビットの数も増える。
【００１３】
ここにおいてデータが伝送されると、データ上にインパクトを与えかねないノイズや干渉の影響を受けやすくなる。ここからはアナログチャネルＡＣを介した伝送について述べてゆく。受信側ではデジタル復調器ＤＤにおいて相応する復調プロセスが施され、さらに復号化器ＤＣにおける復号化とＤ／Ａ変換器におけるディジタル/アナログ変換が行われる。
【００１４】
基本的には、圧縮モードにおいて伝送電力が、安全性の施されていない符号化されたデータの安全な伝送を保証するために増加される。データレスコーディングの場合には、同じ大きさのデータ転送レートでもってより高いネットデータ転送レートが達成できる。データビットは、例えばデータビットのコーディングがより低い拡散係数で実行される前よりも多くフレームの中で中断される。それ故に圧縮モードは、大きなデータがどのように、すなわち、
−ギャップ長に依存して、
−目下のデータ転送レートに依存して
−圧縮モードの持続時間に依存して（図１のより高い送信電力を伴うタイムスロット毎の要求時間参照）、変調されるのかに応じてかえって複雑な計算を必要とし、
−さらにこの変調がどのように、例えば
−異なる変調スキーマ
−異なる拡散係数
−データのパンクチャリング、すなわち個々のビットないしビットグループの遮断等を用いることによって実現されるのかに応じて複雑な計算を必要とする。
【００１５】
どのフレームが圧縮されるのかはネットワークによって決まる。圧縮モードにおいては圧縮されたフレームが周期的に若しくは要求に応じて生じ得る。圧縮フレームのレートとタイプは、環境と測定要求に応じて可変である。物理層の上のＯＳＩ層には、圧縮フレームのスケジューリングの情報が存在し、前述したような圧縮モードのための計算が実施され得る。圧縮フレームの実現に対するさらなる変化例として、物理層上で圧縮されるより高位の層がフレーム期間のデータレートを制限し得ることは周知である。それ故に、圧縮モードにおける操作の投入はより信頼性が高くなる。なぜならより低いデータレートに対しては度を超えない相応のレートマッチングが必要になるからである。
【００１６】
そのほかに転送ギャップが目的（例えば相互周波数電力測定、他のシステムや搬送波の制御チャネルの捕捉、ハンドオーバー操作など）に応じて異なる位置に配置可能である（前記引用文献１の§４.４.４参照）。いわゆるシングルフレーム方式では、転送ギャップが圧縮フレーム内に配置される。正確な位置は、転送ギャップの長さＴＧＬ（trannsmission gap length）に依存する。ダブルフレーム方式では、転送ギャップが２つの隣接するフレームにオーバーラップする。図３ａにはシングルフレーム方式の例が示され、図３ｂには、ダブルフレーム方式の例が示されている。
【００１７】
例えば圧縮モードのこのタイプは、ＵＭＴＳ（Universal Mobile Telecommunications System）においてＤＰＤＣＨ（Dedicated Physical Data Channel）に対して適用され、このチャネル全体に亘ってデータは回線交換によって転送される。既に前述したように、フレーム圧縮のための前記方式は、かえって複雑な計算を必要とする。
【００１８】
パケット交換転送モード（これは回線交換モード又は、例えば音声の伝送が可能な連続チャネルに平行して操作される）は、転送ギャップＴＧに影響される。このことは以下で詳細に説明する。パケット交換転送モードでは、データがパケットにセグメント化されている。各パケットは、個別に転送される。受信品質は、復調や復号化などの種々のデータ操作に基づいて決定される（図２参照）。受信機は、受領の受取り、すなわちパケットが正確に受け取られたどうかを承認する“ＡＣＫ”確認応答若しくは“ＮＡＣＫ”否定応答を送り返される。転送モードに切換えられたパケットを伴うチャネルは例えばＵＭＴＳシステムにおいては、ＨＳ−ＤＳＣＨ（High Speed Downlink Shared Channel）であり、これは物理的チャネルＨＳ−ＰＤＳＣＨにマッピングされる。この技法の概要は、前記文献３（“R1-02-0199 TR25.858 ' High Speed Downlink Packet Access ' Espoo, Finland, Jan. 2002”）に記載されている。
【００１９】
ＨＳＤＰＡデータチャネルは、根本的には、現行のＵＭＴＳのダウンリンク共有チャネル（ＤＳＣＨ）の拡張である。ＨＳＤＰＡは、拡散係数１６でもって１５までのコードに基づいて異なるユーザー若しくは移動局のコード多元化を許容する。しかしながら最初の多元接続は、時間領域にあり、そこでは異なるユーザーが伝送時間間隔（ＴＴＩ）毎にスケジュールされている。これは例えば３つのＵＭＴＳスロット（例えば２ｍｓ）に相応し得る。一人のユーザーに割当てられたコードの数は、ＴＴＩからＴＴＩ変更可能である。システムの負荷とチャネル状況に依存して、基地局若しくはノードＢは、各ユーザー毎に変調とコードレートを適応化する。コードレートと変中の所定の組合わせは、ＭＣＳ（modulation and coding Scheme）レベルを参照する。このＭＣＳレベルは、ＴＴＩ毎に変更されてもよい。基地局は、チャネル状況測定に由来するユーザー端末もしくは移動局からのフィードバック情報やチャネル品質情報（CQI）に基づいて定められる。チャネル品質情報は、１から８０のＴＴＩに亘って優先度を伴って送信される。
【００２０】
高速データレート変調とコーディングを実現するために、コード毎の高速情報ビットレートを可能にする構成が使用される。それ故にシンボルが２ビット以上含まれるいわゆる高速変調技法が使用される。一例として１６ＱＡＭ（Quadrature Amplitude Modulation）が挙げられる。この変調技法のためにシンボル内のビットの個々の位置は、均等には保護されない。そのため重要なビットには良好に保護された位置を割当て、そうでない位置にはそれほど重要でないビットを割当てるマッピング構想が試みられる。これはビット優先式マッピングとも称され、以下の明細書ではＨＳＤＰＡの例に基づいて詳細に説明する。さらにチャネルコーディングに対しては、レートＲ＝１/３のいわゆるターボコードが使用される。このレートは、ビットのトータル数とロードビットないしシステマーティックビットの比を表わしている。
【００２１】
ＨＳ−ＤＳＣＨは多数のユーザーの中で共有される。各ユーザー毎のそれぞれの転送レートは、個々のチャネル品質に基づいて定められる。多元接続可能性の１つは時間領域にあり、そこでは異なるユーザーがあらゆる伝送時間間隔（ＴＴＩ）をスケジュール可能である。これは３つのＵＭＴＳ（Universal Mobile Telecommunication System）スロットに相応し、例えば２ｍｓである。
【００２２】
トランスポートチャネルＨＳ−ＤＳＣＨは、（前述したように）物理チャネルＨＳ−ＰＤＳＣＨ（High Speed Physical Downlink Shared Channel）に対してマッピングされ、それに対しては圧縮モードが適用可能である。より高いデータレートに対しては、ここではシングルのＨＳ−ＰＤＳＣＨは全データレートを伝送できず、ＨＳ−ＰＤＳＣＨのセットが使用される。このケースではセットの全てのＨＳ−ＰＤＳＣＨが同時に伝送され、それらは、異なる拡散コードを使用しているために区別できる。しかしながら本発明は、シングルのＨＳ−ＰＤＳＣＨが使用されるのかセットのＨＳ−ＰＤＳＣＨが使用されるのかには左右されない。
【００２３】
基本的には、前述した圧縮モードは、パケット交換データにも適用できる。それ故に計算については公知文献２“R1-02-0034, Samsung, "Interaction between compressed mode and HSDPA", Espoo, Finland, Jan. 2002”が参照される。しかしながら計算を複雑にしないためにはよりシンプルなプロセスが望ましい。
【００２４】
本発明の課題は、圧縮モードとパケット交換データ・トランスポート・チャネルの間の相互依存性を容易に処理できる解決手段を提供することである。本発明のさらなる課題は、情報がパケットで伝送され、伝送ないし受信ギャップが設けられそれによって伝送若しくは受信が伝送ないし受信ギャップの間でも実施され得る伝送方法を提供することである。
【００２５】
上記した課題は、独立請求項の特徴部分に記載された本発明による方法および装置によって解決される。本発明の有利な実施例並びに変更例は、従属請求項に記載されている。
【００２６】
有利には、データはパケットにて、伝送ギャップ外または受信ギャップ外で伝送ないし転送される。これは他の周波数への同調のために移動局によって使用される。
【００２７】
本発明の実施例によるデータ転送方法によれば、データが移動局と基地局の間でパケット指向のチャネルと連続チャネルを介して平行して転送される。そのため連続チャネルを介した転送は中断され、それによって少なくとも１つの転送ギャップが形成される。
【００２８】
第１の実施例では、データパケットの受信の後で、受領受取り、例えば最初の（第１の）処理時間経過後の受信機による“ACK”又は“NACK”の返信はなされない。この最初の処理時間は、しばしばＵＥ処理時間と呼ばれ、信号受取りの最後と連続信号若しくは順次連続する信号の伝送開始との間の時間を指す。ＵＭＴＳシステムのケースでは、ＡＣＫもしくはＮＡＣＫ信号である。ＵＭＴＳシステムでは、５ｍｓがＵＥ処理時間に割当てられる。ＨＳＤＰＡのタイミング構造は、図３に示されており、そこでは１ＴＴＩの長さがＵＭＴＳシステムにおいて２ｍｓに相応しているのが見て取れる。
【００２９】
第１の処理時間の間信号は、例えば復調され、シンボルセットが着信データセットに割当てられ、各シンボル若しくは各ビットに対する可能性を割当てるために、シンボルないしビットに対する決定が修正される。伝送ギャップの間受取りが送信されなかった場合には、ＨＳＤＰＡの伝送にもかかわらずギャップが維持される。このギャップは、他の周波数の最初に記述した監視のために用いられ得る。
【００３０】
本発明の第２の実施例においては、データパケットが受信機によって記憶され、それによって最初のデータセットが表わされる。データパケットが繰返し受信された場合には、復号化が実施され、それによって少なくとも第２のデータセットが得られる。データセットの共同の復号化によって復号化プロセスの能力が、最初のデータセット単独の復号化に比べて向上される。
【００３１】
本発明の第３の実施例においては、受取りが、処理時間＋所定の遅延時間の経過後に送り返される。このことは、伝送ギャップ中には受取りが転送されないことを保証する。
【００３２】
本発明の別の目的はには、データスループット、特にＨＳＤＰＡスループットのできるだけ少ない犠牲のもとで圧縮モード操作の妥協を強いられないようにするために、ＨＳＤＰＡの伝送をどのように制限するかについての手法の提案も含まれている。
【００３３】
本発明のさらに別の観点や特徴、目的、利点等は以下の明細書で図面に基づき詳細に説明される。この場合、
図１は、圧縮モード伝送の構成を表わした図であり、
図２は、伝送プロセスのブロックダイヤグラムであり、
図３は、時間伝送間隔、の可能なポジションをａ）シングルフレーム方式とｂ）ダブルフレーム方式に分けた表わした図であり、
図４は、ＨＳＤＰＡのスループットを変調とコーディング構成に依存して表わした図であり、
図５は、公知文献３の図１４からのＨＳＤＰＡアップリンクタイミングのタイミング構造を表わした図であり、
図６は、本発明の一実施例による、連続チャネルとパケット指向チャネルを介した移動局と基地局間のデータ転送を表わした通信ネットワークの概略的なダイヤグラムである。
【実施例】
【００３４】
次に本発明を図面に基づき以下の明細書で詳細に説明する。ここでは本発明の構想の完全な理解のために、圧縮モードの種々異なる適用と、ＨＳＰＤＡ伝送へのその影響を区別するものとする。基本的には本発明による方法は、伝送ギャップ中の何らかのフィードバックの送信を提案するために言及されるものではない。これは、何らかの受領通知、例えば伝送ギャップ期間中に伝送される“ＡＣＫ”又は“ＮＡＣＫ”の送信、もしくは伝送ギャップ経過後のその伝送を延期するための十分な遅延を伴った送信によって実施される。前述したように、フィードバックは、パケット指向伝送において伝送の受領（ＡＣＫ）通知やパケットの正確な受信に対するエラー通知のために通常使用されている。また通知にかかわるデータパケットは、全て返信されたり、返信されなかったりする。前述の連続データチャネルは、個別チャネルＤＣＨ（Dedicated Channel）や個別物理データチャネル、あるいは個別物理制御チャネル（これによって例えば音声が伝送される）などであってもよい。これらの配慮は、圧縮モードのもとでアップリンクとダウンリンクで同じように適用される。以下の説明では圧縮モードのもとでアップリンクとダウンリンクを区別する。
【００３５】
ダウンリンク圧縮モードのためのＨＳＤＰＡ伝送上の制約（第１実施例参照）
ＨＳＤＰＡ伝送（ダウンリンク）に対して受入れるべき制約を以下に説明する。圧縮モードで設けられる転送ギャップの期間中は、ユーザー端末は、他の周波数に対する同調に対して開放されており、そのため目下割当てられている周波数上の何らかの信号は受信できない。
【００３６】
基本的には転送ギャップ中は、ユーザー端末は何らかの信号の受信を必要とはしない。換言すれば、基地局が転送ギャップ中に信号を送信したとしても、その信号がユーザー端末によって受信されることは想定できない。
【００３７】
それ故に実施例に対してはこの単純な事実は規定的となり、例えばＨＳ−ＤＳＣＨやＨＳ−ＳＣＣＨ（High Speed Synchronisation Control Channel）に対するＤＰＣＨのオフセットの詳細や圧縮モードパターンの詳細、あるいは異なるフレーム構造形式の詳細などのうちで特定の不要なものに関しては無視するものとする。
【００３８】
圧縮モードの所定のパラメータや所定のオフセットに対しては、ＨＳ−ＳＣＣＨ若しくはＨＳ−ＳＤＣＨが転送ギャップとオーバーラップしているかどうかは簡単に計算できる。ＨＳＤＰＡのいくつかのシングルチップが転送ギャップのシングルチップとオーバーラップしている場合（図２の説明参照）には、既にオーバーラップが生じていることに留意が必要である。さらにＨＩ（HS-DSCH Indicator）伝送はいつでも、対応するＨＳ−ＳＣＣＨ伝送と完全に重なるので、後者のみの考慮で十分である（ＨＩがわずかだけ伝送されてもシステムはＨＩなしで設計され得る）。
【００３９】
他の実施例では、基地局はこのケースにおいて何らかのデータの伝送はしない。このことは呼びかけの期間中にユーザー端末が聞けないことを基地局がわかっている場合には、最適な解決手段たり得る一方で、必ずしも必要なケースとはなり得ない。例えば、圧縮モードの転送ギャップがＨＳＤＰＡ ＴＴＩと部分的にのみオーバーラップする場合には、ユーザー端末にとっては供給されたエラー補正コーディングのためにまだＴＴＩの部分を受信できる可能性があり、この部分的な受領からデータパケットを復号化できる可能性が残される。これは具体的には、パケットが既に再送されていた場合に当てはまる。このケースでは、先の伝送で受信した情報に加えて現下で受信した一部に基づいてパケットの復号化が可能となる。しかしながらＴＴＩの一部がギャップ期間中に失われたために完全な復号化が可能であるケースでは、受信されたＴＴＩの一部が後続の伝送と共にデータの復号化を可能にする。
【００４０】
それ故に他の実施例では、ＴＴＩが圧縮モードにより伝送ギャップと（部分的に）オーバーラップしたとしてもユーザー端末はデータの少なくとも一部を受信する。それによりユーザー端末は、完全な復号化を実行でき、もしくはそれらのデータをユーザー端末ソフトバッファに記憶できる（これに関しては他の実施例で詳細に説明する）。他の変化実施例ではユーザー端末が少なくともいくつかの転送ギャップに対して、ただ比較的短い期間の間だけで全転送ギャップに亘っての通信の中断までは必要ないことを定めている。このことは、特定の転送ギャップに対するスケジュールアクションがこの比較的短い時間の中で実行できる場合に可能となる。これは例えば次のようなケース、すなわちユーザー端末がシンセサイザを有し、これが要求の定められた時よりも迅速に他の周波数への同調を可能にする場合に考えられる。他の可能性としては、特定の転送ギャップに対するスケジュールアクションが本来的に比較的短い時間で実施できるケースが挙げられる。例えば他のＧＳＭ周波数に基づいたいわゆるＢＳＩＣ（Base Station Identification Code）検証など。これはどちらかと言えば短い時間で実施できるが、しかしながらこの時間の転送ギャップ内での正確な位置付けは、転送ギャップがスケジュールされた場合、基地局においては周知でなく、そのため端部において目下必要となるのよりも長い転送ギャップがスケジュールされる。
【００４１】
アップリンク圧縮モードのためのＨＳＤＰＡ伝送上の制約（第２実施例参照）
アップリンク圧縮モードのための制約は、幾分異なっている。なぜならそれはトラブルを誘因するダウンリンクＨＳＤＰＡ伝送ではないからである。しかしながらアップリンクは受領応答、例えばＡＣＫ／ＮＡＣＫ（Acknowledge/Not acknowledge）を送信する。もちろん、アップリンク圧縮モードに対する転送ギャップの間は、ユーザー端末は何らかの情報、たとえば受領応答を伝送できない（故にリクエストされない）。しかしながらこのことは、基地局（これはＵＭＴＳシステムではしばしばノードＢとも称される）に対し、転送ギャップ前の関連するダウンリンクＨＳＤＰＡ伝送に対する可能性を除外しきれない。
【００４２】
ただ基地局の制約として次の事実は考慮されなければならない。すなわち、ユーザー端末がＨＳＤＰＡ伝送に応じて何らかの受領応答、例えばＡＣＫないしＮＡＣＫを伝送することを予想はできないことである。その結果として基地局は、ユーザー端末が正確にパケットを受信したかどうかについての情報をえられず、それ故にいくつかのケースにおいてパケットを再送しなければならない。このようなケースは一見してＨＳＤＰＡ伝送がリソースの無駄のように見られるが、しかしながら実際にはスループットの増加が可能である。基地局は、ユーザー端末が最初の伝送を復号化するという公算がかなり強いＭＡＣ（Moculation an Coding scheme）は使用しないが、第２の伝送がそのような公算を有しているＭＡＣを使用する。
【００４３】
変調及び符号化体系は、詳細には、パケットのためにどの変調方式が用いられているかを表わし、詳細にはエラー補正目的（コーディング）のために使用されそのために得られる冗長度の量を表わしている。変調体系は、１シンボルと共にどのくらいの量のビットが伝送されるかを表わす。例えばＱＰＳＫ（Quadrature Phase Shift Key）方式に対しては２ビットが伝送されるのに対して１６ＱＡＭ方式に対しては４ビットが伝送される。コードレートＲは、どのくらいの冗長度が用いられているかを表わし、Ｒ＝符号化前のビット数/符号化後のビット数、として定められる。
【００４４】
【表１】
2005518148.tif 000003
【００４５】
前記テーブルには、使用可能な変調及び符号化構成の可能なセットの例が表わされており、図４には、それらの変調及び符号化体系に対するチャネル品質に依存して達成可能なスループットが示されている。
【００４６】
横座標Ｉｏｒ/Ｉｏｃは、１つのユーザー端末に対するダウンリンクの全電力スペクトル密度と、帯域制限型の雑音と干渉の電力スペクトル密度の比である。これは以下の式、
【００４７】
【数１】
2005518148.tif 000004
に従って定めれられる。ここでＥｂ/Ｅ０はスペクトルノイズ密度に対するビットエネルギであり、Ｒｂはビットレート、Ｒｃはチップレートである。ファクタｇｄは、ＨＳＤＰＡデータチャネルにあてられた放射電力の小部分である。ファクタｇｄ＝０.８の誘導に対して、２０％のトータルオーバーヘッドが見込まれる（これらは例えばシグナリングチャネルやパイロットチャネルに対し、ユーザー端末によって受信される信号上の伝送媒体の干渉を定めるのに用いられる）。従って横座標は、基本的に信号対雑音比を表わしている。
【００４８】
スループット特性曲線中の段状部は、初期の伝送にエラーが生じ再送が実施されなければならなくなった場合に引き起される。これはスループットを第２の伝送に対しては１/２まで落ち込ませ、第３の伝送に対しては１/３まで落ち込ませ、以下同様に落ち込ませる。グラフから見て取れることは、１つの再送の後で、レベル２の変調及び符号化体系は、第２の伝送後に１２９ｋｂｐｓ（kilo bits per second）のスループットを達成していることである。これはちょうど第１の伝送に対するＭＣＳレベル１と同程度で、チャネル品質も類似の範囲にある。この範囲ではＭＣＳレベル１の１つの伝送によるのと同じスループットが、ＭＣＳレベル２の２つの伝送によって達成可能である。
【００４９】
もちろん初期の伝送は、どちらかといえば低い成功確立しか有さず、これは“失われた”ＡＣＫ/ＮＡＣＫ信号を意味する。なぜならそれはアップリンク圧縮モードのために送信されず、転送ギャップはほとんどＮＡＣＫ信号のようになる。そのため情報は余分となる。
【００５０】
留意点：スケジューラ、例えば基地局の制御ユニット（これは次のＴＴＩ中の支援すべきユーザー端末と使用すべきＭＳＣを定めている）はいずれにせよ、操作ポイントや転送モードなどがいつでも使用できるように開放されている。すなわち異なる時間での２つの伝送の組合わせによって増大する時間多様性の利点を有している。再送を伴うより高いＭＣＳのスループットは、初期伝送に対するペイロードの半分を搬送するＭＣＳのスループットに非常に類似している。この体系が使用されるならば、アップリンク圧縮モードは、ＨＳＤＰＡセッションのスループットを低下させない。
【００５１】
ここで要約すると、基地局は、ＨＳ−ＳＣＣＨ情報の一部または対応するＨＳ−ＤＳＣＨ ＴＴＩ（TTI=Transmission Time Interval）がダウンリンク圧縮モードの転送ギャップとオーバーラップする場合には、圧縮モードを使用中のユーザー端末に対してＨＳＤＰＡ伝送をスケジュールしない。
【００５２】
図５には、ＨＳ−ＳＣＣＨ又はＨＳ−ＤＳＣＨの部分がどのように転送ギャップないし伝送ギャップにオーバーラップし得るかが詳細に示されている。
【００５３】
他のＵＭＴＳチャネルに関するＨＳＤＰＡチャネルの詳細なタイミングダイヤグラムは、図５の中に示されており、先の引用文献３“R1-02-0199 TR25.858 ' High Speed Downlink Packet Access ' Espoo, Finland, Jan. 2002”の図１４が参照され得る。図５には、ダウンリンクＨＳ−ＤＳＣＨ（High Speed Downlink Shared Channel）とアップリンクＤＰＣＣＨ（Dedicated Physical Control Channel）の間のタイミングオフセットが示されている。コード多元アップリンクＨＳ−ＤＰＣＣＨは、ＵＥによって選択されたｍ個のアップリンクＤＰＣＣＨのスタート後、ｍ*２５６のチップでスタートする。それにより（１個のタイムスロット期間の）ＡＣＫ／ＮＡＣＫ伝送が、受信したＨＳ−ＤＳＣＨの終端に続いて７.５スロット後の最初の０−２５５のチップ内で開始される。それ故にＤＰＣＣＨとＨＳ−ＤＰＣＣＨの間のオフセット変化としてＵＥ処理時間（τＵＥＰ）は、７.５スロット（５.０ｍｓ）に維持される。ＡＣＫビットは、コード多元アップリンクＨＳ−ＤＰＣＣＨの第１のスロット上で送信される。（前述のパラメータに従って選択された）ＨＳ−ＤＰＣＣＨ上の第１の各スロットは、ＡＣＫ／ＮＡＣＫシグナリングのために受信される（図５中のＡ／ＮＡ）。ＨＳ−ＤＰＣＣＨ上のその他の２つのスロットは、ＣＱＩトランスミッションのために使用できる（図５中のＱＩ）。Ｔslotは、１つのスロット期間を表わしている（例えば０.６７ｍｓ）。
【００５４】
図５からは、受領応答が見て取れる。これはＡＣＫ若しくはＮＡＣＫをデータの後に送信する。それ故に受領応答は、現下のデータがなくとも伝送ギャップとオーバーラップし得る。
【００５５】
ＡＣＫ／ＮＡＣＫ信号の一部がアップリンク圧縮モードの転送ギャップとオーバーラップするならば、ユーザー端末はその伝送を要求しない。その代わりユーザー端末は、アップリンクＨＳ−ＤＰＣＣＨ上のかかわりのあるタイムスロットを間欠送信ＤＴＸ（discontinuous transmission）する。さらにユーザー端末は、伝送されたパケットの復号化の試みを必要とせず、ただその後のＴＴＩ内で送信されるデータとの結合を可能にすべく仮想ユーザー端末バッファ内への対応するＨＳ−ＤＳＣＨ ＴＴＩのデータの記憶を要求するだけである。
【００５６】
基地局におけるスケジューラの詳細な操作は、メーカー仕様であり、ここでの詳細な説明は省く。スケジューラの特定の実現は、それらの所定の決まったやり方で前向きの行うことができる。特筆すべき必要性のある事項の全ては、ユーザー端末が何らかの受領応答、例えばＡＣＫ／ＮＡＣＫ信号の伝送要求をしないということとアップリンク圧縮モード転送ギャップにオーバーラップするということである。留意事項として再び一様ではないオーバーラップのシングルチップが許容される。その結果として、外部からはユーザー端末が正確にＨＳＰＤＡ伝送を復号化できたかどうかが見えなくなり、故にユーザー端末が当該パケットの復号化の試みを必要とせず、しなければならないすべては仮想ユーザー端末バッファ内にソフト的決定値で記憶される。そこではそれらがＡＣＫ／ＮＡＣＫ信号の伝送も含めて慣用的に処理される次の伝送と結合される。これは前述したように第２実施例の隠れた意図である。
【００５７】
アップリンク圧縮モードのためのＱＩ伝送の制限
アップリンク圧縮モードのための類似の制限は受領応答（例えばＡＣＫ／ＮＡＣＫ信号）に関しては、他のアップリンク伝送、例えば品質インジケータ（ＱＩ）伝送にかかわっている。
【００５８】
ＱＩは、ユーザー端末側からみてダウンリンクチャネルの品質に関する情報を伝達する。これは基地局にアクセスするユーザー端末のどれが良好な受領応答を有し、それ故にＨＳＤＰＡに適しているかを検出するために使用する。
【００５９】
ここでもアップリンク圧縮モードに対する転送ギャップ期間中は、ユーザー端末は何らかの伝送、例えばＱＩ伝送ができない（故に要求もしない）。
【００６０】
ＱＩ伝送は、たとえユーザー端末が特殊なケースとして各ＴＴＩにおいてＱＩの伝送を要求可能であったとしても、ＱＩ伝送は、測定フィードバックサイクルのために断続されるか又は非連続的となる。
【００６１】
その上さらに基地局はどのみち改ざんされた若しくは復号化不能なＱＩ伝送をうまく処理しなければならず、そのためＱＩ伝送のために必要となるべき何らかの特別なアクション若しくは処置は期待されない。アップリンク圧縮モードの伝送ギャップとの衝突が存在する場合には、ただ除外されるにすぎない。ここではシングルチップのオーバーラップでさえ許容されないことを述べておく。
【００６２】
要するに、ユーザー端末は、その一部がアップリンク圧縮モードの伝送ギャップとオーバーラップする場合には、品質インジケータシグナリングの伝送のための要求はしない。その代わりにユーザー端末は、アップリンクＨＳ−ＤＰＣＣＨ上の関連するタイムスロット期間中には単純に何も伝送しない。この作用はいわゆるＤＴＸ（Discontinuous Transmission）と称される。
【００６３】
同時的アップリンク及びダウンリンク圧縮モードのための制限
アップリンク及びダウンリンク圧縮モードの両方は、同じ時間に活動かされるか、若しくは多元圧縮モードパターンが活動化されると、個々の転送ギャップのための制約が平行して存在する。このことはダウンリンク若しくはアップリンク伝送が、転送ギャップの全てと互換性がある場合にのみ実行可能であることを意味する。従って何らかの受領応答が、いずれかの転送ギャップにおいて送信されるべきではない。
【００６４】
さらなる展望と実施例
前述のテキストでは、伝送ギャップとオーバーラップした場合にアップリング伝送を（何らかの受領応答、例えばＡＣＫ／ＮＡＣＫ／ＱＩ）単に転送しないように提案している。
【００６５】
さらなる実施例として、関連する伝送が、伝送させることが可能となる時間まで遅延される。この遅延は、基本的には何らかの値を取り得る。例えば遅延された伝送は、転送ギャップの終端直後に開始される。しかしながら、実行を容易にするためには、整数個のタイムスロットによる伝送の遅延が望ましい。そのケースでは、２以上のデータパケットが圧縮モード操作中に伝送され、２以上の受領応答が遅延され、個々の受領応答は、１以上のＴＴＩの間隔のケースよりも早い遅延に追い付くために１ＴＴＩに代わって１タイムスロットの間隔の遅延の後に送信される。
【００６６】
本発明の他の実施例によれば、伝送の遅延は、整数個のタイムスロットによってではなく、整数個のＴＴＩによって遅延される。これは、ユーザー端末と基地局の両方において実行が容易である。なぜなら遅延された伝送は、このタイプの伝送がどのみち到着する時には受信されるからである。それ故に全伝送のそれぞれの受領応答チェーンは、容易に実行され得る。スロットに代わる次のＴＴＩに対する遅延は、最初のうちはまだ他の遅延の導入のように見える。しかしながらシステム全体では、それが所定の遅延に対して最適に働くように、例えば伝送が基準時間で送信される時のように構成され実行される。ここでいう遅延とは、ＡＣＫ／ＮＡＣＫ若しくはＱＩに応じて実施されるべきアクションがもはや遅れのない時間では不可能となり、後のＴＴＩにおいてしかできないことを意味している。このアクションは、具体的には次のＴＴＩでスケジュール決定となるべきものであり、例えばどのユーザー端末がユーザーデータを伝送するのか、どの変調/符号化体系が使用されるのか、新たなパケットを伝送すべきなのかそれとも先行の１つを再送すべきなのかどうかなどである。仮にＡＣＫ／ＮＡＣＫコマンドが整数個のＴＴＩによって遅延されるならば、明らかに前述したような応答は、整数個のＴＴＩ分だけ遅れてしか送信できない。しかしながらこの遅延がより少ないならば、例えば整数個のＴＴＩ分からＴＴＩの端数分だけ減じられたものならば、応答は、１つの完全なＴＴＩ分だけ早く送信することはできない。なぜならＡＣＫ／ＮＡＣＫはＴＴＩに対するいわゆる“デッドライン”後に来たものだからである。換言すれば、ＡＣＫ／ＮＡＣＫ（後続の伝送に影響を及ぼすＱＩも同様に）の伝送遅延をＴＴＩの端数分によって最適化する試みは無意味である。整数個分のＴＴＩの遅延の実行はより容易なので、それが優先される。
【００６７】
以下では、転送ギャップがアップリンク圧縮モードとダウンリンク圧縮モードの両方で同時に発生しているケースを詳細に述べる。なぜなら転送ギャップの前に形成された顕著なＡＣＫ／ＮＡＣＫ信号のバックログが、伝送されるべき転送ギャップ後のＨＳＤＰＡ伝送にかかわる新たなＡＣＫ／ＮＡＣＫ信号の前の転送ギャップの後に終了できるからである。この理由は基本的に、ＨＳＤＡＰダウンリンク伝送がＡＣＫ／ＮＡＣＫ伝送よりも長いことによる。故に転送ギャップは、少なくともＡＣＫ／ＮＡＣＫ伝送よりも多くのダウンリンク伝送をブロックする必要がある。しかしながらアップリンクのみの圧縮モード、例えばギャップがアップリンク方向にのみ存在するならば、これはケースにあてはまらない。なぜならダウンリンクフレームが何もブロックされないからである。このケースにおいてバックログを避けるためには、単純にＡＣＫ／ＮＡＣＫの伝送をしないか、又は代替的に、ＴＴＩの倍数（multiple）とは限らない遅延を伴うＡＣＫ／ＮＡＣＫ信号の伝送が提案される。それでもなお実施の点からみれば、タイムスロットの倍数の選択が望ましい。前述したことと同じ理由からタイムスロットの倍数ではない遅延の選択は有利ではない。伝送されたＡＣＫ／ＮＡＣＫ信号のどれもタイムスロットの端数分よりも早く受信されることはないし、スロットが規則的に続くケースと比較してより早期に受信されることもない。既に前述したように、ＴＴＩの端数分だけの遅延の低減は、システムにとって有益なものではない。もちろんこの考えはタイムスロットの端数分に対して適用されるものである。
【００６８】
さらなる実施例では、遅延がスロットの倍数分になるべくセットされる。これはＴＴＩの倍数と同時ではない。このようにして、遅延されたＡＣＫ／ＮＡＣＫ伝送が、それ自身遅延されなければならない目下のＡＣＫ／ＮＡＣＫ伝送のために割当てられたタイムスロットをブロックすることが避けられる。
【００６９】
さらなる実施例では、それぞれ第２のＴＴＩのみが、遅延される必要のない新たなＡＣＫ／ＮＡＣＫ信号と一緒に、遅延されたＡＣＫ／ＮＡＣＫ信号の伝送のために使用される。ＱＩ伝送に対して供されるそれぞれ他のフレームの２つのタイムスロットは離される。
【００７０】
さらに別の実施例では、最初の１つまたは複数の遅延されたＡＣＫ／ＮＡＣＫ伝送を転送ギャップの後に伝送し、引き続きＱＩ伝送によって後続させることが提案される。詳細には、ＱＩ伝送が転送ギャップ又は遅延されたＡＣＫ／ＮＡＣＫ信号の間にスケジュールされる。
【００７１】
他の実施例では、ＡＣＫ／ＮＡＣＫおよび/またはＱＩ伝送は、転送ギャップの後に送信され、場合によっては他のＡＣＫ／ＮＡＣＫ信号又はＱＩ伝送の時点でスケジュールされる。このケースでは、それらの後からの伝送がそれらが伝送できるまで遅延される。
【００７２】
それとは異なる実施例では、ＡＣＫ／ＮＡＣＫ伝送がＱＩ伝送よりも優先権を持っている。例えばＡＣＫ／ＮＡＣＫ信号の両方が保留され、後続のＱＩ伝送がさらに遅延され、ペンディングＡＣＫ／ＮＡＣＫはＱＩ伝送前に伝送される。
【００７３】
さらなる実施例では、ＱＩ伝送が後続のＱＩ伝送の基準伝送時間まで遅延された場合に、１つだけのＱＩ伝送のみが送信される。２つか若しくはそれ以上の逐次のＱＩ伝送に代えて、それは１つだけのＱＩの伝送には十分である。短い連続の中で２つのＱＩを伝送することは、どのみち冗長的となる。なぜならチャネル品質がそのような短期間では著しく変化しないからである。
【００７４】
さらなる実施例によれば、圧縮モード転送ギャップのためにその基準時間で送信できないＱＩ伝送は、ＱＩ伝送のために割当てられたタイムスロットまで遅延される。通常このような特定のタイムスロットの間はＱＩは何も送信されないことを述べておく。なぜならＱＩ伝送は、単に断続的に実施されるだけだからである。基本的にはこのことは、ＱＩ伝送がタイムスロットの整数倍分よりも良好にＴＴＩの整数倍分によって遅延されることを意味する。
【００７５】
基本的には以下の可能性が存在する。これらは結合可能である：
ａ）受領応答が転送ギャップ直後に送信されるような遅延
ｂ）遅延がタイムスロットの整数倍の長さを有する
ｃ）遅延がトランスミッションタイムインターバル（ＴＴＩ）の整数倍の長さを有する。
【００７６】
本発明は、前述したようにＨＳＤＰＡ及び圧縮モードに関連して説明してきたが、同じ原理が他のシステムやシナリオにも容易に適用可能であることは当該分野の当業者にとっては明らかである。そこではパケット通信が確立されるが、いくつかの時間間隔は、他のシステムの観点からの制約のためにアップリンク若しくはダウンリンク通信に対して得られない。そのような制約は、例えば並行して実行される回線交換接続などのその他の通信からも到来し得る。そのようなことは、実行が並行して行われパケット転送に伴ういくつかの理由が故に互換性が無く、それ故にいくつかの時間間隔がパケット転送のために得られなくなるその他のシステムであり得る。そのような他のシステムとは、なんらかの制約があるリソース、例えば受信機毎に競合が生じたり、相互干渉を引き起すもう１つの通信システムであり得る。それらは完全に異なる動作、例えばエネルギー源、コンピュータリソース、その他のリソース毎の動作に競合を生じる。
【００７７】
図６には、ＵＭＴＳ標準による通信システムないしネットワークにおけるデータ伝送が概略的に示されている。このシステムないしネットワークは、端末ないし移動局ＭＳと基地局ＢＳからなっている。例えばＨＳＤＰＡ伝送の導入に際してここではデータ伝送がパケット指向チャネルと連続チャネルを介して並行に行われるものとする。これらの両チャネルでは、ユーザー端末が他の周波数に同調している間は伝送ギャップが成立ないし確立されなければならない。パケット指向チャネルに対しては、以下の事項が考慮され得る：
ａ）伝送ギャップ中はパケット伝送なし
ｂ）伝送ギャップ中に送信された受領応答、例えばＡＣＫないしＮＡＣＫは受信されない。そのためさらなるパケット伝送は、それらの受領応答の情報なしで実行されなければならない。
ＵＭＴＳ標準にかかわる本発明のさらなる展望
最終の無線アクセスネットワーク・ワーキンググループ１（ＲＡＮ ＷＧ１）では、ある会合（引用文献２参照）において圧縮モードと高速ダウンリンクパケットアクセス（ＨＳＤＰＡ）の相互依存性が強調された。この会合の詳細はさらなる研究に対して急進的となる。具体的には公式化に伴う制約が多すぎないかどうかと、特定仕様における正確な表現が用いられるべきかなど。引用文献２からの結論は基本的には受入れられた（引用文献４参照）：ＤＣＨ（Dedicated Channel）上で圧縮フレーム（若しくはギャップ）の間は、ＨＳ−ＤＳＣＨ（High Speed Downlink Shared Channel）はＵＥ（User Equipment）（ダウンリンク/アップリンク中のシグナリングも含む））のためには作動せず、これは以下でも詳細に説明する（留意事項：圧縮モードは専用チャネルＤＣＨだけに適用される）。
【００７８】
この会合では、圧縮モード動作の妥協を強いることなく、ＨＡＤＰＡスループットの犠牲もできるだけ僅かで済むようにするために、ＨＳＤＰＡ伝送のスケジューリングの制約についての提案がなされている。それと同時にコンパクトな公式化が使用されるべきであることが引用文献５のテクニカルレポートに言及され、特定仕様２５.２ｘｘに対するワーキングチェンジリクエスト（ＣＲ）が提案されている。
ダウンリンク圧縮モードのためのＨＳＤＰＡ伝送上の制約
ＨＳＤＰＡ伝送（ダウンリンク）に対して実際に受入れるべき制約を極簡単に説明する。圧縮モードで設けられるギャップの期間中、ユーザー端末は、他の周波数に対する同調に対して空けられており、そのため（及びその結果として不要となる）目下割当てられている周波数上の何らかの信号の受信はできない。故にここではこの単純な事実を正確に特定することが提案される。
【００７９】
一般的に認められているように、ＴＴＩ（Transmission Time Interval）が許可されたり許可されなかったりする多くの基本的なケースにおいて算術演算は、大いに必要とされる。引用例２においても提案がなされているが、これはＨＳ−ＤＳＣＨやＨＳ−ＳＣＣＨ（High Speed Synchronisation Control Channel）に対するＤＰＣＨのオフセットを考慮するものでもなければ、圧縮モードパターンあるいは異なるフレーム構造形式の具体的な詳細を考慮するものでもない。この取り組みが基本的に適用できるものなのかどうかは不明である。いずれにせよ前述したような単純な事実を述べる場合、そのような基本的事項に異を唱えるものではないことを述べておく。
【００８０】
圧縮モードで生じる何らかのオフセットおよびパラメータに対しては、ＨＳ−ＳＣＣＨ又はＨＳ−ＳＤＣＨがギャップに重なっているかどうかを非常に簡単に計算することができる。ＨＳＤＰＡのいくつかのシングルチップが転送ギャップのシングルチップとオーバーラップしている場合には、既にオーバーラップが生じていることに留意が必要である。さらにＨＩ（HS-DSCH Indicator）伝送はいつでも、対応するＨＳ−ＳＣＣＨ伝送に完全に重なるので、後者のみを考慮するので十分である。
アップリンク圧縮モードのためのＨＳＤＰＡ制約
アップリンク圧縮モードのための制約は、幾分異なる。なぜならダウンリンクＨＳＤＰＡ伝送ではないからである。これはアップリンクＡＣＫ／ＮＡＣＫ（Acknowledge/ Not acknowledge）伝送に問題を引き起す。もちろんアップリング圧縮モードに対するギャップの間は、ユーザー端末ＵＥは、何らかの信号、詳細にはＡＣＫ／ＮＡＣＫでない信号を伝送できない。しかしながらこれは厳密に言えば、ギャップ前の関連するダウンリンクＨＳＤＰＡ伝送に対するノードＢの可能性を除外するものではない。
【００８１】
ノードＢが考慮にいれなければならない制約は、ユーザー端末ＵＥのＨＳＤＰＡ伝送に応じたＡＣＫ若しくはＮＡＣＫの伝送は予測できないという事実だけである。その結果、ノードＢは、ＵＥがパケットを正確に受信できたかどうかについての情報を手に入れられず、それ故にいつくかのケースにおいてはパケットを再送しなければならない。
【００８２】
最初にこれはリソースの無駄のように見える。しかしながら実際にはスループットが増加する。ノードＢは、ＵＥが初期の伝送を復号化する公算がかなり強いＭＡＣ(Modulation an Coding Scheme）は使用しないが、第２の伝送がそのような高い公算を有するＭＡＣは使用する。もちろん初期の伝送は、どちらかといえば低い成功確立しか有さず、これは“失われた（より厳密には送信されなかった）ＡＣＫ/ＮＡＣＫ信号を意味する。なぜならアップリンク圧縮モードギャップがほとんどＮＡＣＫ信号のようになるからである。そのため情報はどのみち余分となる。
【００８３】
留意点：スケジューラはいずれにせよ、操作ポイントなどがいつでも使用できるように開放されている。すなわち異なる時間での２つの伝送の組合わせによって増大する時間の多様性の利点を有している。再送を伴うより高いＭＣＳのスループットは、初期伝送に対するペイロードの半分を搬送するＭＣＳのスループットに非常に類似している。この体系が使用されるならば、アップリンク圧縮モードは、ＨＳＤＰＡセッションのスループットを低下させない。
【００８４】
発明の観点からみれば、そのような作用の特定は容易である。しかしながらノードＢのスケジューラの詳細な作用は、発明の範囲からは外れ業界仕様のものである。特定する必要のある全事実は、ＡＣＫ／ＮＡＣＫ信号がアップリンク圧縮モードギャップとオーバーラップした場合にその転送をユーザー端末ＵＥが要求できなくなることである。。留意事項として再び一様ではないオーバーラップのシングルチップが許容される。その結果として、外部からはユーザー端末が正確にＨＳＰＤＡ伝送を復号化できたかどうかが見えなくなり、故にユーザー端末が当該パケットの復号化の試みを必要とせず、しなければならないすべては仮想ユーザー端末バッファ内にソフト的決定値で記憶される。そこではそれらが慣用的に処理される次の伝送と結合される。
【００８５】
アップリンク圧縮モードのためのＱＩ伝送の制限
アップリンク圧縮モードのための類似の制限はＡＣＫ／ＮＡＣＫ信号に関しては、他のアップリンク伝送、例えば品質インジケータ（ＱＩ）伝送にかかわっている。ここでもアップリンク圧縮モードに対する転送ギャップ期間中は、ユーザー端末は何らかの伝送、例えばＱＩ伝送ができない（故に要求もしない）。
【００８６】
ＱＩ伝送は（たとえユーザー端末が特殊なケースとして各ＴＴＩにおいてＱＩの伝送を要求可能であったとしても）測定フィードバックサイクルのために断続される。その上さらに基地局はどのみち改ざんされた若しくは復号化不能なＱＩ伝送をうまく処理しなければならず、そのためＱＩ伝送のために必要となるべき何らかの特別なアクション若しくは処置は期待されない。アップリンク圧縮モードの伝送ギャップとの衝突が存在する場合には、ただ除外されるにすぎない。ここではシングルチップのオーバーラップでさえ許容されないことを述べておく。
【００８７】
同時的アップリンク及びダウンリンク圧縮モードのための制限
アップリンク及びダウンリンク圧縮モードの両方は、同じ時間に活動かされるか、若しくは多元圧縮モードパターンが活動化されると、個々の転送ギャップのための制約が平行して存在する。このことはダウンリンク若しくはアップリンク伝送が、転送ギャップの全てと互換性がある場合にのみ実行可能であることを意味する。
【００８８】
仕様の観点からみれば、このことは特に強調すべき必要のないことであるかもしれない。なぜならそれは基本的には、本願の全セクションに準拠させる必要があるケースであって、準拠がより良好となる一部に限られるものではないからである。
【００８９】
終わりに
ＨＳＤＰＡ動作による圧縮モードの相互作用の特定は、一見すると非常に複雑に見えるが、必要なルールは、実際には仕様に全く簡素に取り入れることが可能である。実際の仕様に関するＴＲ及びワーキングＣＲに対応するテキスト案件は上述したとおりである。
【００９０】
ＴＲ２５.８５８及びワーキングＣＲに対するテキスト案件
新たなセクション２５.８５８及び仕様においてはユーザー端末ＵＥの作用動作の特定が提案される。ＴＲ２５.８５８において使用される章番号とその仕様の決定は編集者に委ねられる。このことは重要な決定事項ではない。
【００９１】
圧縮モード中のＨＳＤＰＡの動作
ノードＢは、ＨＳ−ＳＣＣＨ情報の一部若しくは対応するＨＳ−ＤＳＣＨ ＴＴＩがダウンリンク圧縮モードのギャップとオーバーラップしている場合には、圧縮モードを使用中のユーザー端末ＵＥに対するＨＳＤＰＡ伝送をスケジュールすべきではない。
【００９２】
ＡＣＫ／ＮＡＣＫ信号の一部がアップリンク圧縮モードの転送ギャップとオーバーラップするならば、ユーザー端末はその伝送を要求しない。その代わりユーザー端末は、アップリンクＨＳ−ＤＰＣＣＨ上のかかわりのあるタイムスロットを間欠送信する（ＤＴＸ）。さらにユーザー端末は、伝送されたパケットの復号化の試みを必要とせず、ただその後のＴＴＩ内で送信されるデータとの結合を可能にすべく仮想ユーザー端末バッファ内への対応するＨＳ−ＤＳＣＨ ＴＴＩのデータの記憶を要求するだけである。
【００９３】
さらにＵＥは、その一部がアップリンク圧縮モードのギャップとオーバーラップする場合には、品質インジケータシグナリングの伝送を要求しない。代わりにＵＥは、アップリンクＨＳ−ＤＰＣＣＨ上の影響のあるタイムスロットを間欠送信する。
【００９４】
さらなる注釈
前述してきたテキストでは、ギャップとオーバーラップした場合にはアップリンク伝送（ＡＣＫもＱＩも）を単に実施すべきでないことを提案してきた。さらなる改善点としては、関与する伝送を、その実施ができるようになるまでの時間だけ遅延させることも可能である。この遅延は具体的には何らかの値、例えば遅延された伝送がギャップの終端直後に開始できるような値であってもよい。しかしながらその実行を容易にするためには、タイムスロットの整数倍分による遅延伝送が望ましい。
【００９５】
さらに別の実施例では、ギャップ後の最初に遅延されたＡＣＫ／ＮＡＣＫ伝送を実施することが提案される。
【００９６】
別の有利な実施例によれば、ＡＣＫ／ＮＡＣＫ及び/又はＱＩ伝送がギャップ後に送信され、場合によっては他のＡＣＫ／ＮＡＣＫ信号若しくはＱＩ伝送がスケジュールされる時の時間に送信される。このケースでは後者の伝送が送信できるようになるまで遅延される。
【００９７】
さらに別の有利な実施例によれば、ＡＣＫ／ＮＡＣＫ伝送がＱＩ伝送を越えて優先付けられる。例えば両方のＡＣＫ／ＮＡＣＫ信号が保留され、後者のＱＩ伝送がさらに遅延され、ＡＣＫ／ＮＡＣＫが伝送された場合など。
【００９８】
さらに有利な実施例によれば、ＱＩ伝送が後続のＱＩ伝送の基準伝送時間まで遅延された場合、単一のＱＩ伝送が送信される。
【００９９】
別の有利な実施例によれば、圧縮モードギャップのためにその基準時間で送信できないＱＩ伝送は、ＱＩ伝送に割当てられたタイムスロット分まで遅延される（通常このような特定のタイムスロットの間はＱＩは何も送信されないことを述べておく。なぜならＱＩ伝送は、単に断続的に実施されるだけだからである）。
【０１００】
故に換言すれば、本発明は次のような伝送方法に焦点を絞られる。すなわち、情報がパケットで送信され、伝送ないし転送ギャップが設けられ、伝送ないし転送ギャップの最中には伝送若しくは受信が何も実行されないような伝送方法である。
【０１０１】
基地局の側からみれば次のような種々の実施例に的を絞れる。すなわち、前述したようなデータ転送方法であって、パケットがパケット指向チャネルを介して送信され、それらのケースにおいて最初の処理時間の経過後は受領応答が伝送ギャップとオーバーラップするので対応する受領応答が送信できない。
【０１０２】
移動局の側からみれば次のようにみてとれる。すなわち前述したようなデータ転送方法であって、パケットがパケット指向チャネルを介して受信され、それらのケースにおいて最初の処理時間の経過後は受領応答が伝送ギャップと重なるので対応する受領応答が送信できない。
【０１０３】
またネットワークの側からみれば、次のようなネットワークが提案されている。すなわち、前述したような方法の実行に適合されたネットワークであって、前記通信ネットワークは少なくとも１つの基地局と移動局からなっている。
【０１０４】
本願で引用されている以下の文献は、第３世代移動通信システムの標準仕様を作成するための民間組織“The third generation partnership project(3GPP),Address: ETSI Mobile Competence Centre 650 route des Lucioles, 06921 Sophia Antipolis Cedex”によって保管されており、この組織で使用されているフォーマットで引用されている。
［１］R1-02-0492, TR 25.212v4.3, section4.4 "compressed mode"with Fig. 11
［２］R1-02-0034, Samsung, "Interaction between compressed mode and HSDPA", Espoo, Finland, Jan. 2002 
［３］R1-02-0199, TR 25.858 "High Speed Downlink Packet access", Espoo Finland, January 2002
［４］R1-02-0356, Secretary, "Revised minutes of TSG RAN WG1#23 meeting", Orlando Florida, U.S.A., February 2002
［５］R1-02-0199, TR 25.858 "High Speed Downlink Packet access", Espoo Finland, January 2002
【図面の簡単な説明】
【０１０５】
【図１】圧縮モード伝送の構成を表わした図
【図２】伝送プロセスのブロックダイヤグラム
【図３】時間伝送間隔、の可能なポジションをａ）シングルフレーム方式とｂ）ダブルフレーム方式に分けた表わした図
【図４】ＨＳＤＰＡのスループットを変調とコーディング構成に依存して表わした図
【図５】公知文献３の図１４からのＨＳＤＰＡアップリンクタイミングのタイミング構造を表わした図
【図６】本発明の一実施例による、連続チャネルとパケット指向チャネルを介した移動局と基地局間のデータ転送を表わした通信ネットワークの概略的なダイヤグラム
【図１】
2005518148.tif 000005
【図２】
2005518148.tif 000006
【図３】
2005518148.tif 000007
【図４】
2005518148.tif 000008
【図５】
2005518148.tif 000009
【図６】
2005518148.tif 000010
【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
データを移動局（ＭＳ）と基地局（ＢＳ）の間で並行に存在するパケット指向チャネルと連続チャネルを介して転送するためのデータ転送方法において、
連続チャネルを介した転送が中断され、それによって少なくとも１つの転送ギャップが形成され、
受信したデータパケットからの情報が、ジョイントデコーディングのために記憶され、
前記データパケットは、パケット指向チャネルを介して送信され、前記ジョイントデコーディングは、データパケットが繰返し受信された場合に行われ、
最初（第１）の処理時間の経過後は受領応答が何も送信されないようにしたことを特徴とする、データ転送方法。
【請求項２】
前記転送ギャップは移動局における受領応答の中断によって形成される、請求項１記載のデータ転送方法。
【請求項３】
前記転送ギャップは、移動局の伝送の中断によって形成される、請求項１または２記載のデータ転送方法。
【請求項４】
受領応答が遅延時間の経過後に送信される、請求項１から３いずれか１項記載のデータ転送方法。
【請求項５】
前記遅延は、受領応答が転送ギャップの直後に送信されるように形成される、請求項４記載のデータ転送方法。
【請求項６】
前記遅延は、タイムスロットの整数倍分の長さを有している、請求項４記載のデータ転送方法。
【請求項７】
前記遅延は、伝送時間インターバル（ＴＴＩ）の整数倍分の長さを有している、請求項４記載のデータ転送方法。
【請求項８】
第２のデータパケットを受信するステップと、
受信した第２のデータパケットから得られた情報を記憶するステップと、
各データパケットの情報の少なくとも一部の使用によって復号化を実行するステップとが含まれている、請求項１から７いずれか１項記載のデータ転送方法。
【請求項９】
前記パケット指向チャネルは、高速物理ダウンリンク共有チャネルHS-PDSCHである、請求項１から８いずれか１項記載のデータ転送方法。
【請求項１０】
データ転送が中断される所定の時間は、基地局若しくは移動局によって定められる、請求項１から９いずれか１項記載のデータ転送方法。
【請求項１１】
情報をパケットで転送するステップと、
データ転送を転送ギャップ外のみで実行するステップとが含まれている請求項１から１０いずれか１項記載のデータ転送方法。
【国際調査報告】
2005518148.tif 000011
2005518148.tif 000012
2005518148.tif 000013